(57)【特許請求の範囲】
【請求項１】
化粧料を収納する中皿体(13)を組付け固定した容器本体(8) の後端に蓋体(17)を開閉回動自在に蝶番結合し、前記蓋体(17)に、該蓋体(17)の閉姿勢時に、前記中皿体(13)の開口部に密に嵌合して該中皿体(13)を密閉する軟質弾性材製のシール体(1) を組付けた気密コンパクト容器において、前記シール体(1) を、前記蓋体(17)との間に空間を形成すると共に、前記中皿体(13)側に球弧殻状に湾曲した肉薄な中央変形部(2) と、前記蓋体(17)に強固に組付く組付き周端部(3) とから構成し、該組付き周端部(3) と前記中央変形部(2) との連設部に、該中央変形部(2) の弾性変形に従って溝幅を拡縮変化させる上方に開放した拡縮溝(5) を形成し、前記組付き周端部(3) の下面に、前記中皿体(13)の開口部に密に嵌合する密嵌筒片(4) を垂下設した気密コンパクト容器。
【請求項２】
中皿体(13)の開口縁に沿って短筒状のシール筒片(15)を立設し、シール体(1) の密嵌筒片(4) を、前記シール筒片(15)に密に嵌入する第一の密嵌筒片(4a)と、前記シール筒片(15)に密に外嵌する第二の密嵌筒片(4b)とから構成した請求項１記載の気密コンパクト容器。
【請求項３】
閉姿勢状態で、シール体(1) の組付き周端部(3) を、中皿体(13)の開口縁部に押圧する押さえ筒片(18)を蓋体(17)内面に垂下設した請求項１または２記載の気密コンパクト容器。
【請求項４】
シール体(1) の組付き周端部(3) の上面に、蓋体(17)の押さえ筒片(18)が嵌入する受け周溝(7) を周設した請求項３記載の気密コンパクト容器。
【請求項５】
シール体(1) の蓋体(17)への組付けを、前記シール体(1) の組付き周端部(3) の外周面に周設した係合周溝(6) に対する、前記蓋体(17)に設けた係合内鍔(20)の係合により達成した請求項１または２または３または４記載の気密コンパクト容器。
【発明の詳細な説明】
【０００１】
【産業上の利用分野】
本発明は、パウダー等の化粧料を収納し、閉状態で、この化粧料を気密に収納保持する携帯用化粧料容器としての気密コンパクト容器に関するものである。
【０００２】
【従来の技術】
化粧料を気密に保持する携帯用容器である気密コンパクト容器としては、種々の構造のものがあるが、コンパクト容器の化粧料を収納する容器本体の化粧料収納凹部の開口縁部に、蓋体に組付けたリング状のシール機能体を密接させる構成のものに比べて、容器本体の化粧料収納凹部の開口部全域を覆うシール機能体を蓋体に組付け、このシール機能体を容器本体の化粧料収納凹部の開口縁部に密接させる構成のものの方が、高いそして安定したシール性を発揮することがよく知られている。
【０００３】
この容器本体の化粧料収納凹部の開口部全域を覆うシール機能体を蓋体に組付けて構成した従来技術としては、実公平５−２７１２４号公報、実公平６−２５８５号公報さらには実公平７−１０６５９号公報に開示されているように、シール機能体の蓋体への組付き部分に対して、容器本体の化粧料収納凹部の開口縁部に密に弾接するシール部分が、容器本体側と圧接により容易に弾性変位することができる構成となっている。
【０００４】
この上記した従来技術にあっては、シール機能体のシール部を、容器本体側との圧接により容易に弾性変位することができるようにすることにより、このシール部の変形疲労に伴う局部的な永久変形および弾性劣化等の発生をできる限り防止し、これにより長期間にわたって安定したシール機能を発揮することができると云う利点を発揮している。
【０００５】
【発明が解決しようとする課題】
しかしながら、上記従来技術にあっては、シール機能体のシール部が、容器本体側に密接したシール達成状態から、蓋体が容器本体に係止固定する閉状態に達するまでの僅かな変位により、密閉された化粧料収納空間の内圧が上昇し、この上昇した内圧によって、シール機能体の弾性変形し易く構成されたシール部分が弾性変位し、この弾性変位がシール状態を低下させる方向への変位であるため、シール性が低下すると云う問題があった。
【０００６】
また、上記したように、シール機能体のシール部分が、シール状態を低下させる方向に弾性変位する力を常時受けた状態となるため、携帯時における外部からの衝撃により発揮されるシール性が大きく変動することになり、このため高いシール性を安定して発揮することができないと云う問題があった。
【０００７】
そこで、本発明は、上記した従来技術における問題点を解消すべく創案されたもので、化粧料収納空間の内圧のシール達成後の上昇によるシール性劣化を防止することを技術的課題とし、もってシール機能体による化粧料収納空間の高くかつ安定したシール性を発揮させることを目的とする。
【０００８】
【課題を解決するための手段】
上記課題を解決する本発明のうちで請求項１記載の発明は、
化粧料を収納する中皿体を組付け固定した容器本体の後端に蓋体を開閉回動自在に蝶番結合し、蓋体に、この蓋体の閉姿勢時に、中皿体の開口部に密に嵌合してこの中皿体を密閉する軟質弾性材製のシール体を組付けた気密コンパクト容器であること、
蓋体に組付けられたシール体を、蓋体との間に空間を形成すると共に、中皿体側に球弧殻状に湾曲した肉薄な中央変形部と、蓋体に強固に組付く組付き周端部とから構成すること、
またシール体を、その組付き周端部と中央変形部との連設部に、この中央変形部の弾性変形に従って溝幅を拡縮変化させる上方に開放した拡縮溝を形成した構成とすること、
さらにシール体を、組付き周端部の下面に、中皿体の開口部に密に嵌合する密嵌筒片を垂下設した構成とすること、
を手段としている。
【０００９】
請求項２記載の発明は、
請求項１記載の発明におけるシール体と中皿体とのシール組付き構成を、中皿体の開口縁に沿って短筒状のシール筒片を立設し、シール体の密嵌筒片を、中皿体のシール筒片に密に嵌入する第一の密嵌筒片と、同じシール筒片に密に外嵌する第二の密嵌筒片とから構成したこと、
を手段としている。
【００１０】
請求項３記載の発明は、
請求項１記載の発明におけるシール体と蓋体との組付き構成を、蓋体の閉姿勢状態で、シール体の組付き周端部を、中皿体の開口縁部に押圧する押さえ筒片を蓋体内面に垂下設したこと、
を手段としている。
【００１１】
請求項４記載の発明は、
請求項３記載の発明において、シール体の組付き周端部の上面に、蓋体の押さえ筒片が嵌入する受け周溝を周設したこと、
を手段としている。
【００１２】
請求項５記載の発明は、
請求項１記載の発明におけるシール体と蓋体との組付き構成として、シール体の蓋体への組付けを、シール体の組付き周端部の外周面に周設した係合周溝に対する、蓋体に設けた係合内鍔の係合により達成すること、
を手段としている。
【００１３】
【作用】
請求項１記載の発明において、容器本体に対して蓋体を閉方向に回動させて容器を閉状態とすると、蓋体に組付けられたシール体の密嵌筒片が、容器本体に組付け固定された中皿体の開口部に密に嵌合し、シール体による中皿体の密閉が達成される。
【００１４】
このシール体による中皿体の密閉は、シール体の密嵌筒片が中皿体の開口部に密に嵌合することにより達成されるので、シール体の密嵌筒片の中皿体開口部に対する密な嵌合の進行に従って、密閉された中皿体の内圧が上昇する。
【００１５】
中皿体の内圧が上昇し始めると、シール体の肉薄で弾性変形し易い中央変形部が、中皿体の内圧によりその湾曲姿勢を反転させる方向に弾性変形し、中皿体の内圧の上昇程度を低減させる。
【００１６】
中皿体の内圧上昇を低減させるシール体の中央変形部の弾性変形は、この中央変形部自体が肉薄であることと、シール体の中央変形部と組付き周端部との連設部分に形成された拡縮溝の存在とにより、きわめて円滑に達成され、中皿体の内圧の上昇の充分な抑制効果を発揮する。
【００１７】
すなわち、中皿体の内圧により中央変形部が湾曲姿勢を反転させる膨出方向に変形し始めると、拡縮溝がその溝幅を減少させる方向に変形して、中央変形部の膨出方向への変形が行われ易くし、これにより中央変形部の膨出方向への変形が円滑に達成され、もって中皿体の内圧上昇が抑制されるのである。
【００１８】
このように、シール体により密閉された中皿体の内圧の上昇程度が大幅に抑制されるので、中皿体の開口部に対するシール体の密嵌筒片の密嵌状態が、中皿体の内圧により劣化することが全くなく、シール状態を安定して維持する。
【００１９】
請求項２記載の発明は、中皿体のシール筒片に、シール体の第一の密嵌筒片を嵌入させると共に、第二の密嵌筒片を外嵌させるので、シール体による中皿体のシールがを二重となり、これによりきわめて安定したそして確実なシール動作を発揮する。
【００２０】
請求項３記載の発明は、閉姿勢状態で、容器本体対して不動に係合した状態となっている蓋体の容器本体に対する組付き力を利用して、押さえ筒片により、シール体の組付き周端部を中皿体の開口縁部に押圧するするので、中皿体の開口部に対するシール体の密嵌筒片の密嵌が強固に達成維持されることになり、これによりシール体による中皿体のシールはより強力なものとなる。
【００２１】
請求項４記載の発明は、シール体の受け周溝と蓋体の押さえ筒片とが嵌合するので、押さえ筒片の押圧力作用状態で、シール体の組付き周端部が妄りに変位することがなく、これにより押さえ筒片によるシール強化作用を有効に発揮させることになる。
【００２２】
請求項５記載の発明は、蓋体に対するシール体の組付けを、シール体の係合周溝に対する蓋体の係合内鍔の係合により達成することにより、シール体を蓋体に対して外側周囲から保持することになり、これによりシール機能を発揮する主体部分である密嵌筒片を設けた組付き周端部の蓋体に対する組付き位置が、安定して一定となり、密嵌筒片のシール効果を安定して発揮させることになる。
【００２３】
【実施例】
以下、本発明の実施例を、図面を参照しながら説明する。
図１は、本発明による気密コンパクト容器の閉状態における、全体を縦断した側面図を示すもので、容器本体８と開閉駒体１１と中皿体１３とから成る容器本体８側と、蓋体１７と組付けリング体１９とシール体１とから成る蓋体１７側とを、容器本体８の後端部と蓋体１７の後端部とを、蝶番軸２２で蝶番結合して開閉回動自在に連結している。
【００２４】
容器本体８は、収納凹部９を形成した有底短筒形状をしていて、その先端部に設けた組付け凹部１０に、蓋体１７との係止機能部分である係止片１２を設けた開閉駒体１１を前後方向に摺動変位可能に組付けた構成となっていて、開閉駒体１１は、図示省略した弾材により、常時前方（図１において、左方）に向かう押圧力を受けている。
【００２５】
容器本体８の収納凹部９に組付け固定される中皿体１３は、有底短円筒形状をしていて、その周壁１４の上端縁外面から、収納凹部９に対する嵌入組付き状態を安定させる外鍔片１６を外鍔状に周設すると共に、上端縁内面から、高さの低いシール筒片１５を起立設した構成となっている。
【００２６】
軟質弾性材製のシール体１（以下、図２および図３、参照）は、球弧殻状に湾曲した肉薄な円板状をした中央変形部２の周囲に、蓋体１７への組付き部分を提供する肉厚なリング状をした組付き周端部３を一体に連設して構成され、組付き周端部３の上面に、中央変形部との連設部に拡縮溝５を、またこの拡縮溝５の外側に隣接して受け周溝７をそれぞれ周設し、組付き周端部３の下面の受け周溝７の略直下に位置する箇所に第一の密嵌筒片４ａと、この第一の密嵌筒片４ａの外側に、第一の密嵌筒片４ａとの間に中皿体１３のシール筒片１５を密嵌入させる第二の密嵌筒片４ｂとを垂下状に突周設し、さらに組付き周端部３の外周面に、係合周溝６を周設している。
【００２７】
このシール体１を組付ける蓋体１７は、その全体が浅皿状となっていて、容器本体８に組付けられた中皿体１３のシール筒片１５に上方から対向する内面箇所に、シール体１の受け周溝７に嵌入する押さえ筒片１８を垂下設して構成され、その内面周端部に組付けリング体１９を組付け固定している。
【００２８】
組付けリング体１９は、その内周面にシール体１の係合周溝６に係合する係合内鍔２０を周設すると共に、前端部下面に、開閉駒体１１の係止片１２と係止する係止垂下片２１を垂下設した構成となっており、この組付けリング体１９を蓋体１７とは別体物に構成したので、シール体１を組付けリング体１９に組付けた状態で蓋体１７に組付け固定することにより、弾性変形し易いシール体１を一定の略不変な姿勢に保持した状態でシール体１の蓋体１７に対する組付け処理を行うことができ、これによりシール体１の組付け処理を安定してかつ良好に達成することができる。
【００２９】
シール体１の中央変形部２は、密閉した中皿体１３の内圧の上昇に従って、図１の鎖線で示す状態に弾性変形して、中皿体１３の内圧の上昇を抑制するが、この中央変形部２の湾曲反転弾性変形の際に、拡縮溝５も鎖線に示す状態に弾性変形するので、中央変形部２の変形はきわめて容易に行われることになる。
【００３０】
蓋体１７の押さえ筒片１８は、中皿体１３のシール筒片１５直上のやや内側、すなわち第一の密嵌筒片４ａに近く位置しているので、シールの主体部分である第一の密嵌筒片４ａのシール筒片１５内への密嵌入を確実に達成すると共に、密閉された中皿体１３の内圧上昇を抑制する中央変形部２および拡縮溝５の弾性変形が、この第一の密嵌筒片４ａのシール筒片１５に対する密嵌入状態を劣化させるのを防止している。
【００３１】
なお、コンパクト容器の開放は、図１の状態から、開閉駒体１１を弾材の弾力に逆らって押し込むことにより、係止片１２と係止垂下片２１との係止を解除することにより達成される。
【００３２】
【発明の効果】
本発明は、上記した構成となっているので、以下に示す効果を奏する。
請求項１記載の発明にあっては、密閉された化粧料収納部分の内圧が、この密閉動作により上昇しても、この内圧の上昇を充分に抑制するので、シール体の発揮する高いシール性を安定して保持し、これにより高いシール性を安定して発揮させることができる。
【００３３】
化粧料収納部分の内圧上昇の抑制は、この化粧料収納部分をシールするシール体のシール達成部分ではない中央変形部の弾性変形により達成するので、この内圧上昇抑制動作がシール性を劣化させる恐れは全くなく、これによりシール体による高いシール性を安定して発揮させることができる。
【００３４】
化粧料収納部分の内圧上昇抑制は、容積変化の大きいシール体の中央変形部の湾曲反転弾性変形により達成されるので、充分な抑制効果を発揮し、またこの中央変形部の弾性変形は、拡縮溝の溝幅増減弾性変形と組合さって行われるので、きわめて円滑に達成され、もって化粧料収納部分の内圧上昇抑制動作を、確実にかつ円滑にそして効果的に発揮することになる。
【００３５】
請求項２記載の発明にあっては、シール体による中皿体のシールを、二重の密嵌合により達成維持するので、きわめて高いシール性を得ることができる。
【００３６】
請求項３および４記載の発明にあっては、シール体の中皿体に対する密接を強固かつ安定して達成維持するので、高いシール性を安定的に達成維持することができる。
【００３７】
請求項５記載の発明にあっては、軟質弾性材製のシール体の組付き周端部を不動に安定して保持するので、変形変位によるシール性の劣化発生を防止し、確実で安定したシール性を発揮させることができる。
【図面の簡単な説明】
【図１】本発明の一実施例を示す、閉状態の全体縦断側面図。
【図２】図１に示した実施例における、シール体の半断した外観斜視図。
【図３】図１に示した実施例における、シール体の右半分を縦断した正面図。
【符号の説明】
１  ；  シール体
２  ；  中央変形部
３  ；  組付き周端部
４ａ；  第一の密嵌筒片
４ｂ；  第二の密嵌筒片
５  ；  拡縮溝
６  ；  係合周溝
７  ；  受け周溝
８  ；  容器本体
９  ；  収納凹部
１０；  組付け凹部
１１；  開閉駒体
１２；  係止片
１３；  中皿体
１４；  周壁
１５；  シール筒片
１６；  外鍔片
１７；  蓋体
１８；  押さえ筒片
１９；  組付けリング体
２０；  係合内鍔
２１；  係止垂下片
２２；  蝶番軸
【図１】
0003755014.tif 000002
【図２】
0003755014.tif 000003
【図３】
0003755014.tif 000004